(57)【要約】      （修正有）【課題】足場板を並列に配置した際に、足場板間に生じる隙間を小さなものとすることができ、かつ、足場板によって形成される足場全体の段差を少なくすることができる高所用足場板を提供する。【解決手段】垂直フランジと、水平フランジを備えた一対の主梁間に架け渡される足場板１０であって、断面形状を角柱型として形成されている足場板本体と、足場板本体の長手方向両端部に備えられ、垂直フランジに係止される垂直係止部１８と、水平フランジの下に潜り込む水平係止部２０とを有する端部部材１４と、を備え、垂直フランジは、主梁の中心を基点として水平フランジの先端よりも外側に位置しており、水平係止部材２０は、一対の主梁間に足場板本体を配置した後、足場板１０を延長する方向へ突出させる。【選択図】図８
0003212803.tif 000002
【実用新案登録請求の範囲】
【請求項１】
垂直フランジと、水平フランジを備えた一対の梁間に架け渡される高所用足場板であって、
断面形状をＣ型、あるいは角柱型として形成されている足場板本体と、
前記足場板本体の長手方向両端部に備えられ、前記垂直フランジに係止される垂直係止部と、前記水平フランジの下に潜り込む水平係止部とを有する端部部材と、を備え、
前記垂直フランジは、前記梁の中心を基点として前記水平フランジの先端よりも外側に位置しており、
前記水平係止部は、前記一対の梁間に前記足場板本体を配置した後、足場板を延長する方向へ突出させることを特徴とする高所用足場板。
【請求項２】
前記足場板本体の上面高さと、前記端部部材の上面高さが等しくなるように構成したことを特徴とする請求項１に記載の高所用足場板。
【請求項３】
前記一対の梁間に前記高所用足場板を配置した状態において、前記水平フランジの上面高さと前記端部部材の上面高さが等しくなるように構成したことを特徴とする請求項２に記載の高所用足場板。
【請求項４】
前記端部部材における前記垂直係止部配置位置に対応する上面に、前記垂直係止部を挿入可能な開口部を備えていること特徴とする請求項１乃至３のいずれか１項に記載の高所用足場板。
【請求項５】
前記足場板本体における踏み板面に、長手方向に沿った凸状の滑り止めを形成したことを特徴とする請求項１乃至４のいずれか１項に記載の高所用足場板。
【考案の詳細な説明】
【技術分野】
【０００１】
本考案は、高所作業を行う際に用いられる足場板に係り、特に、足場板を並列に並べて配置する作業現場に適用するのに好適な高所用足場板に関する。
【背景技術】
【０００２】
足場板を並列に複数配置するタイプの高所作業用足場については、特許文献１や特許文献２に開示されているような技術が知られている。特許文献１に開示されている技術は、建物ユニットに適用する天井仮足場に関する技術であり、大梁間に足場板を固定するための爪を備えた一対の仮梁を架け渡している。そして、一対の仮梁を跨ぐように、足場板を並列に配置することで、足場板にズレを生じさせることなく配置することが可能となるというものである。
【０００３】
また、特許文献２に開示されている技術は、クリーンルームの天井に配置される足場に関する技術であり、足場板の両端に設けた爪を一対の縦梁のそれぞれに引っかけ、これを固定具で固定することで、足場板にズレや揺れが生じないようにするという技術である。また、特許文献２に開示されている足場板は、いわゆるテレスコピック型に形成されており、その長手方向長さを変化させることができ、縦梁に対する架け渡しに適切な長さに調節した後に、固定具による長さの固定が成される。
【先行技術文献】
【特許文献】
【０００４】
【特許文献１】特開平６−３２２９７６号公報
【特許文献２】特開２００７−２７０５７１号公報
【考案の概要】
【考案が解決しようとする課題】
【０００５】
上記特許文献に開示されている技術、並びにこの技術に適用する足場板であれば、高所作業を行うための足場としての役割は、果たせると考えられる。しかし、特許文献１に開示されている技術では、足場板を設置した際、隣接する足場板間に隙間が生じる。このため、隙間からの物の落下、あるいは隙間に起因した躓き等が生じる虞があり、高所作業に伴う危険を誘因することとなる。また、足場板と仮梁とを別体として配置するため、足場を設置する際の作業効率が悪い。
【０００６】
また、特許文献２に開示されている技術は、足場板を近接配置し、かつ配置方向を工夫することで、足場板間に生じる隙間を僅かなものとすることができると考えられる。しかし、足場板の構造上、単一の足場の長手方向において段差が生じることとなる。よって、この段差が躓きの原因となる虞がある。
【０００７】
そこで本考案では、上記課題を解決し、足場板を並列に配置した際に、足場板間に生じる隙間を小さなものとすることができ、かつ、足場板によって形成される足場全体の段差を少なくすることができる高所用足場板を提供することを目的とする。
【課題を解決するための手段】
【０００８】
上記課題を解決するための本考案に係る高所用足場板は、垂直フランジと、水平フランジを備えた一対の梁間に架け渡される高所用足場板であって、断面形状をＣ型、あるいは角柱型として形成されている足場板本体と、前記足場板本体の長手方向両端部に備えられ、前記垂直フランジに係止される垂直係止部と、前記水平フランジの下に潜り込む水平係止部とを有する端部部材と、を備え、前記垂直フランジは、前記梁の中心を基点として前記水平フランジの先端よりも外側に位置しており、前記水平係止部材は、前記一対の梁間に前記足場板本体を配置した後、足場板を延長する方向へ突出させることを特徴とする。
【０００９】
また、上記特徴を有する高所用足場板では、前記足場板本体の上面高さと、前記端部部材の上面高さが等しくなるように構成すると良い。このような構成とすることで、高所用足場板全体の凹凸を減らすことができる。これにより、高所用足場板自体の凹凸に起因した躓き等を減らすことができる。
【００１０】
また、上記特徴を有する高所用足場板では、前記一対の梁間に前記高所用足場板を配置した状態において、前記水平フランジの上面高さと前記端部部材の上面高さが等しくなるように構成すると良い。このような構成とすることで、高所用足場を複数並列に配置した際、主梁を含めた足場全体の凹凸を減らすことができる。
【００１１】
また、上記特徴を有する高所用足場板では、前記端部部材における前記垂直係止部配置位置に対応する上面に、前記垂直係止部を挿入可能な開口部を備えるようにすると良い。このような構成とすることにより、高所用足場板を厚み方向に重ねて保管する際、開口部に垂直係止部が挿入され、積層形態での安定性を向上させることができる。また、高所用足場板を重ねた際の高さを抑えることができる。
【００１２】
さらに、上記特徴を有する高所用足場板では、前記足場板本体における踏み板面に、長手方向に沿った凸状の滑り止めを形成するようにしても良い。このような構成とする事で、踏み板面に対して滑り止めを後加工する必要が無くなる。
【考案の効果】
【００１３】
上記のような特徴を有する高所用足場板によれば、高所用足場板を並列に配置した際に、足場板間に生じる隙間を小さなものとすることができる。また、高所用足場板によって形成される足場全体の段差を少なくすることもできる。
【図面の簡単な説明】
【００１４】
【図１】実施形態に係る高所用足場板の構成を示す斜視図である。
【図２】実施形態に係る高所用足場板を架け渡す一対の主梁の断面構成を示す図である。
【図３】足場板本体の平面構成を示す図である。
【図４】足場板本体の側面構成を示す図である。
【図５】踏み板面に凸状の滑り止めを備えた足場板本体の側面構成を示す図である。
【図６】端部部材の平面構成を示す図である。
【図７】端部部材の側面構成を示す図である。
【図８】実施形態に係る高所用足場板を厚み方向に積み重ねた様子を示す側面図である。
【図９】水平係止部を収納した状態の端部部材と主梁との関係を示す図である。
【図１０】水平係止部を突出させた状態の端部部材と主梁との関係を示す図である。
【図１１】対を成す主梁間に複数の高所用足場板を並列配置して足場を構成した様子を示す図である。
【図１２】足場板本体の変形形態の１例の側面構成を示す図である。
【図１３】垂直係止部の構成を異ならせた端部部材の１例の底面構成を示す図である。
【図１４】垂直係止部の構成を異ならせた端部部材の１例の側面構成を示す図である。
【図１５】水平係止部の突出形態を異ならせる場合の１例を示す図である。
【考案を実施するための形態】
【００１５】
以下、本考案の高所用足場板に係る実施の形態について、図面を参照して詳細に説明する。なお、図面において、図１は、実施形態に係る高所用足場板の構成を示す斜視図であり、図２は、実施形態に係る高所用足場板を架け渡す一対の主梁の断面構成を示す図である。
【００１６】
［主梁］
本実施形態に係る高所用足場板（以下、足場板１０と称す）は、図１１に示すように、一対の主梁３０に対して架け渡すことで使用される。ここで、実施形態に係る足場板１０を適用する主梁３０は、図２に詳細な断面構成を示すように、水平フランジ３２ａと、この水平フランジ３２ａの端部よりも対向する主梁３０側に突出した位置に設けられる垂直フランジ４０を備える構成とする。このような要素を備える主梁３０の具体的な構成の一例として、次のようなものとすることができる。すなわち、ウェブ３４を挟み込むように配置された水平フランジ３２ａ，３２ｂを備えた、いわゆるＨ鋼を基本として構成することができる。実施形態に係る主梁３０を構成するためには、ウェブ３４に対して補強部材３６を付加すると共に、主梁３０の幅方向へ突出する突出部材３８を設ける。図２に示す形態では、突出部材３８の先端に垂直フランジ４０を備える構成としている。また、垂直フランジ４０は、支持面４２を構成する水平板と、垂直フランジ４０を構成する垂直板を溶接して形成されたＴ字状部材の一部により構成している。
【００１７】
［足場板］
上記のような係合部を備える主梁３０に架け渡される本実施形態に係る足場板１０は、足場板本体１２と、端部部材１４により構成されている。足場板本体１２は、図３に平面構成を示し、図４に側面構成を示すように、断面形状を長方形とした角柱型を成し、その一方の面を踏み板面（上面）としている。足場板本体１２は、アルミニウム等の軽量金属により構成することが望ましく、必要に応じて、角柱内部に、強度確保のための補助板１２ａを備える構造とすると良い。
【００１８】
図示しないが、踏み板面には、滑り止め加工を施すことで、作業時の安全性を向上させることができる。滑り止めは、滑り止め素材の塗布などでも良いが、サンドブラスト加工のように、素材そのものに加工を施すことで、経年劣化による剥がれなどの機能低下を抑制することができる。また当然に、形状形成時に凹凸をつけるようにしても良い。
【００１９】
足場板本体１２としては、汎用部材を適用すると良い。汎用部材を使用することで、製造コストを削減することができると共に、その長さについての仕様形態を増やすことが容易となる。よって、足場板１０としての適用範囲を広げることが可能となる。なお、本実施形態では、足場板本体１２における長手方向両端部に、詳細を後述する端部部材１４を接続するためのボルト孔１２ｂを設けている。ここで、ボルト孔１２ｂは、接続用のボルト（不図示）を挿通可能な貫通孔とすれば良い。また、実施形態に係る図（例えば図３）には、ボルト孔１２ｂは、接続部１箇所につき４つ設けるように示しているが、その数は、適宜変更することができる。
【００２０】
形状形成時に凹凸をつける際の一例としては、例えば図５に示すような構成とすることができる。すなわち、足場板本体１２の踏み板面に、微小な凸部１２ｃ（１２ｃ１）を形成するというものである。凸部１２ｃ（１２ｃ１）は、足場板本体１２の長手方向に沿って延設する構成とすることで、押し出し形成による形成が可能となる。凸部１２ｃ（１２ｃ１）の配置間隔は、任意とすることができるが、補助板１２ａの配置間隔、あるいは図５に示すように、補助板１２ａの配置間隔の半分の間隔で設けるようにすれば良い。なお、凸部１２ｃ（１２ｃ１）の形成に関しては、足場板本体１２のデザイン性、あるいは押し出し形成時の半溶融材料の流動性を考慮して、踏み板面の中央に位置する凸部１２ｃ１の幅（断面積）を大きくするようにしても良い。このように、形状形成時に凸部１２ｃ（１２ｃ１）を形成した場合、滑り止めのための後加工が不要となり、足場板本体１２の製造コストの高騰を抑えることができる。
【００２１】
端部部材１４は、足場板本体１２の長手方向両端部に接続され、主梁３０に対する係合部材としての役割を担う要素である。本実施形態に係る端部部材１４は、金属部材により構成され、その厚み、および幅を足場板本体１２と一致させた本体１６と、この本体に備えられる垂直係止部１８、及び水平係止部２０を有する。本体１６は、図６に平面構成を示し、図７に側面構成を示すように、上面構成部材１６ａと下面構成部材１６ｂ、及び側面構成部材１６ｃにより箱型に構成され、必要に応じて補助板１６ｄを設けるようにすると良い。また、実施形態に係る端部部材１４では、足場板本体１２側に位置することとなる側面構成部材１６ｃに、接続ブラケット１６ｅが備えられている。
【００２２】
上面構成部材１６ａには、少なくとも水平係止部取付部２２と、垂直係止部挿通孔１６ａ１が設けられている。水平係止部取付部２２は、その形態を限定するものでは無いが、本実施形態の場合、上面構成部材１６ａの一部に、足場板１０の幅方向（矢印Ｂの方向）に沿った切欠きを設け、ここに断面をコ字状とする凹状部材を設けて成る。凹状部材により構成される水平係止部取付部２２の底面には、足場板１０の長手方向（矢印Ａの方向）に沿った方向に長軸を持つように形成された長穴２２ａが設けられている。垂直係止部挿通孔１６ａ１は、詳細を後述する垂直係止部１８の取付位置に対応した位置に形成される貫通孔である。
【００２３】
下面構成部材１６ｂには、垂直係止部１８が取り付けられている。垂直係止部１８は、本実施形態の場合、丸棒により構成されたピンとしている。ピン（垂直係止部１８）の数、および配置位置は限定するものでは無いが、本実施形態の場合、２つの垂直係止部１８を本体の幅方向（足場板１０の幅方向：矢印Ｂで示す方向）の中心位置を基点として、線対称となる位置に配置している。垂直係止部１８の配置構成をこのようなものとすることで、足場板１０を主梁３０に架け渡した際、垂直係止部１８の先端が突出部材３８に設けられた支持面４２に当接すると共に、垂直係止部１８の側面が垂直フランジ４０に引っかかり、足場板１０のズレや脱落を防止することができる。
【００２４】
また、本実施形態では、垂直係止部１８を構成するピンの先端に、切欠き１８ａ（図９参照）を設けている。切欠き１８ａは、足場板本体１２に対する接続側に設けられる面取りであれば良い。このような切欠き１８ａを設けることにより、垂直フランジ４０に対する配置形態への誘導効果と、支持面４２と垂直フランジ４０との間に形成された溶接部４０ａ等との接触を回避する効果を得ることができ、足場板１０ががたつくことを防止できる。
【００２５】
また、本実施形態では、上述したように、本体を構成する上面構成部材１６ａに、垂直係止部挿通孔１６ａ１を形成している。なお、本実施形態では、垂直係止部１８をピンとしていることより、垂直係止部挿通孔１６ａ１も、ピンの直径に対応した丸穴としている。このような形態とすることで図８に示すように、足場板１０を重ねた際、上部に配置される足場板１０の垂直係止部１８が下部に配置された足場板１０の垂直係止部挿通孔１６ａ１に挿入されることとなる。これにより、積層状態を安定させることができると共に、積層高さの抑制を図ることもできる。よって、不使用時の収納スペースを縮小することができる。
【００２６】
水平係止部２０は、主梁３０における水平フランジ３２ａの下面に引っかかり、足場板１０の浮き上がりを防止する役割を担う要素である。本実施形態の場合、上述した上面構成部材１６ａにおける水平係止部取付部２２を構成する凹状部材に対応した形態としている。すなわち、コ字型に形成された水平係止部取付部２２を下面側から被覆可能なコ字状部材により構成している。水平係止部２０をこのような構成とすることで、水平係止部２０は、水平係止部取付部２２の側壁をガイドにして、足場板１０の長手方向（図６において矢印Ａで示す方向）へスライドさせることが可能となる。また、コ字状を成す水平係止部２０において、凹状を成す水平係止部取付部２２の底面に当接する面には、貫通孔が設けられると共に、水平係止部取付部２２との対向面と反対側に、ナット２０ａが接合されている。このような構成とすること、水平係止部２０に対してボルト２０ｂを螺合させることが可能となる。
【００２７】
水平係止部２０は、水平係止部取付部２２の長穴２２ａに挿通されたボルト２０ｂに対して螺合されることで、水平係止部取付部２２に対する固定が成される。ここで、水平係止部２０は、ボルト２０ｂを緩めることにより、長穴２２ａの長軸に沿った方向（矢印Ａで示す方向）への移動が可能となる。一方、ボルト２０ｂを締付けた場合には、長穴２２ａの長軸に沿った方向（矢印Ａで示す方向）への移動が制限されることとなる。また、水平係止部２０は、水平係止部取付部２２の底面形状に沿ったコ字状とされていることにより、ボルト２０ｂの回転（締め付け方向及び緩み方向）に対する供回りがない。また、ボルト２０ｂは、水平係止部取付部２２の底面に設けられた長穴２２ａを挿通させるように配置されるため、ボルト頭が本体の上面構成部材１６ａに突出する虞も無い。
【００２８】
水平係止部２０をこのような構成とすることで、足場板１０の不使用時や、架け渡し時においては図９に示すように、水平係止部２０を本体１６の内部へ収納しておくことができる。一方、足場板１０を主梁３０に架け渡した後には図１０に示すように、水平係止部２０を足場板本体１２の長手方向に沿って突出させることができる。足場板１０を架け渡した状態で水平係止部２０を突出させることによれば、水平係止部２０が主梁３０を構成する水平フランジ３２ａの下面に潜り込み、足場板１０の浮き上がりを防止することができる。
【００２９】
また、ボルト２０ｂの締め込みにより水平係止部２０が、水平係止部取付部２２側へ引き付けられた際、水平係止部２０が水平フランジ３２ａに押し付けられることにより、設置状態にある足場板１０のがたつきを抑制することができる。
【００３０】
ここで、足場板１０を配置した状態で、水平フランジ３２ａの上面高さと、端部部材１４の上面高さが近似するように構成することで、足場板１０を配置した際に、主梁３０を含める足場部分に生じる凹凸を殆ど無くすことができる。また、図９、図１０に示すように、ボルト２０ｂには、必要に応じて抜け止め２０ｂ１を設けるようにしても良い。
【００３１】
側面構成部材１６ｃに備えられた接続ブラケット１６ｅは、足場板本体１２に対して端部部材１４を接続するための要素である。接続ブラケット１６ｅには、足場板本体１２をの踏み板面（上面）と、踏み板面と対向する下面の間に挿入される一対の接続片１６ｅ１が設けられている。また、各接続片１６ｅ１には、端部部材１４を足場板本体１２に接続した状態で、ボルト孔１２ｅに対応することとなる位置に、ボルト孔１６ｅ２が設けられている。
【００３２】
なお、ボルト孔１６ｅ２は、ボルト孔１２ｂに挿通されたボルト（不図示）が螺合可能な雌ねじ孔とする。ここで、ボルト孔１６ｅ２に形成される雌ねじ孔は、接続用のボルト（不図示）をスクリューボルトとし、ボルトの締め込みにより形成されるようにしても良い。また、ボルト孔１６ｅ２の数は、ボルト孔１２ｂの数に対応する数とすれば良い（図６においては、各接続片１６ｅ１につき４つ）。
【００３３】
［使用形態］
上記のような構成の足場板１０によれば、足場板本体１２は、角柱材料により構成されている。また、端部部材１４の幅も足場板本体１２の幅に合わせて形成されている。このため、図１１に示すように、複数の足場板１０を並列に、近接させた状態で配置することができる。こうして構成される足場は、各足場板１０間に生じる隙間を極めて小さなものとすることができる。このため、足場板１０間の隙間に起因した躓きや、隙間からの物の落下といった危険を回避することが可能となる。
【００３４】
また、主梁３０を含めた足場全体の段差を少なくすることができるため、段差に起因した躓きを抑制することができる他、台車５０等を用いた資材の運搬もスムーズに行うことが可能となる。
【００３５】
［その他の変形形態］
本考案に係る足場板１０を構成する各要素は、その機能を損なわない限度において、具体的構成に変更を加えたとしても、本考案の一部とみなすことができる。例えば、上記実施形態では、足場板本体１２は、その断面形状を角柱状とし、必要に応じて内部に補助板１２ａを備えるようにする旨説明した。しかしながら、足場板本体１２は、材質の選択等に基づき、使用に応じた強度を確保することができれば、図１２に示すように、断面形状をＣ型とし、足場板１０全体の軽量化を図るようにしても良い。
【００３６】
また、上記実施形態では、端部部材１４に備える垂直係止部１８について、丸棒により構成されたピンである旨説明した。しかしながら、安価かつ容易に入手可能な素材であれば、例えば図１３、図１４に示すように、Ｃ型チャンネル材などにより構成しても良い。
【００３７】
さらに、上記実施形態では、水平係止部２０について、水平係止部取付部２２に沿ってスライド可能な突出型とする旨説明した。しかしながら、その機能を果たす上では、例えば図１５に示すように、水平係止部２０を回転フリップ型としても良い。また、図示しないが、水平係止部２０の上面にゴム板等の緩衝部材を配置し、上面構成部材１６ａとの間の隙間を埋めるようにしても良い。このような構成とした場合、設置した足場板１０のガタつきを抑制する効果を高めることができる。
【００３８】
また、上記実施形態では、足場板本体１２と端部部材１４との接続について、接続ブラケット１６ｅを介してボルトで行う旨説明した。しかしながら、足場板本体１２と端部部材１４とが確実に接続できる構成であれば、上記構成に限定されるものではない。
【符号の説明】
【００３９】
１０………足場板、１２………足場板本体、１２ａ………補助板、１２ｂ………ボルト孔、１２ｃ（１２ｃ１）………凸部、１４………端部部材、１６………本体、１６ａ………上面構成部材、１６ａ１………垂直係止部挿通孔、１６ｂ………下面構成部材、１６ｃ………側面構成部材、１６ｄ………補助板、１６ｅ………接続ブラケット、１６ｅ１………接続片、１６ｅ２………ボルト孔、１８………垂直係止部、１８ａ………切欠き、２０………水平係止部、２０ａ………ナット、２０ｂ………ボルト、２０ｂ１………抜け止め、２２………水平係止部取付部、２２ａ………長穴、３０………主梁、３２ａ，３２ｂ………水平フランジ、３４………ウェブ、３６………補強部材、３８………突出部材、４０………垂直フランジ、４０ａ………溶接部、４２………支持面、５０………台車。
【図１】
0003212803.tif 000003
【図２】
0003212803.tif 000004
【図３】
0003212803.tif 000005
【図４】
0003212803.tif 000006
【図５】
0003212803.tif 000007
【図６】
0003212803.tif 000008
【図７】
0003212803.tif 000009
【図８】
0003212803.tif 000010
【図９】
0003212803.tif 000011
【図１０】
0003212803.tif 000012
【図１１】
0003212803.tif 000013
【図１２】
0003212803.tif 000014
【図１３】
0003212803.tif 000015
【図１４】
0003212803.tif 000016
【図１５】
0003212803.tif 000017